(57)【特許請求の範囲】
【請求項１】
時刻情報を与える計時手段と、
計時手段からの時刻情報を受信して現在の時刻情報を記憶する時刻情報記憶手段と、
時間の経過を表す文字、記号など時刻目盛を線形に配列した線形時間表示画面上の特定位置に現時刻情報を指示する表示手段と、
前記時刻情報を受信する毎に前記現在の時刻情報に従って前記線形時間表示画面上の現時刻情報を示す特定位置の時刻目盛を更新する手段と、
前記時刻情報を受信する毎に前記線形時間表示画面上の時刻目盛を更新する時刻目盛更新手段と、を備え、
前記線形時間表示画面上の特定位置に現在の時刻情報が表示されることを特徴とする表示目盛変動型線形時計。
【請求項２】
時刻情報を与える計時手段と、
計時手段からの時刻情報を受信して現在の時刻情報を記憶する時刻情報記憶手段と、
時間の経過を表す文字、記号など時刻目盛を線形に配列した線形時間表示画面上の特定位置に現時刻情報を指示する表示手段と、
前記表示手段の線形時間表示画面に配列された時刻目盛の変更を指示する目盛変更指示手段と、
目盛変更指示手段により指示された指示情報に従って前記時刻目盛を計算する演算手段と、
前記演算手段により算出された時刻目盛に従って前記前記線形時間表示画面上の時刻目盛を変更する目盛変更手段と、を備えてなる表示目盛変動型線形時計。
【請求項３】
時刻情報を与える計時手段と、
計時手段からの時刻情報を受信して現在の時刻情報を記憶する時刻情報記憶手段と、
時間の経過を表す文字、記号など時刻目盛を線形に配列した線形時間表示画面上の特定位置に現時刻情報を指示する表示手段と、
前記時刻情報を受信する毎に前記線形時間表示画面上の時刻目盛を更新する時刻目盛更新手段と、
前記表示手段の線形時間表示画面に配列された時刻目盛の変更を指示する目盛変更指示手段と、
目盛変更指示手段により指示された指示情報に従って前記時刻目盛を計算する演算手段と、
前記演算手段により算出された時刻目盛に従って前記前記線形時間表示画面上の時刻目盛を変更する目盛変更手段と、
を備えてなる表示目盛変動型線形時計。
【請求項４】
時刻情報を与える計時手段と、
計時手段からの時刻情報を受信して現在の時刻情報を記憶する時刻情報記憶手段と、
時間の経過を表す文字、記号など時刻目盛を線形に配列した線形時間表示画面上の特定位置に現時刻情報を表示する表示手段と、
前記表示手段の線形時間表示画面上の現時刻情報を表示する前記特定位置に過去または未来の時刻情報表示に変更する時刻変更手段と、
時刻変更手段により指示された時刻情報に従って前記時刻目盛の時刻情報を計算する演算手段と、
前記演算手段により算出された時刻情報に従って前記線形時間表示画面上の時刻目盛の時刻情報を変更する目盛変更手段と、
を備えてなる表示目盛変動型線形時計。
【請求項５】
前記時刻変更手段により変更された時刻情報を現時刻情報表示に戻す復帰手段を備えてなる、請求項４に記載の表示目盛変動型線形時計。
【請求項６】
前記表示手段の線形時間表示画面上の前記特定位置は前記時刻目盛の中心位置にあることを特徴とする請求項１、２、３、４および５のいずれかに記載の表示目盛変動型線形時計。
【請求項７】
ユーザ情報を時刻情報と共に入力する手段と、
前記表示手段の線形時間表示画面上の前記入力された時刻に対応する時刻目盛の位置にユーザ情報の存在を示す指標を表示する手段とを備えてなる、請求項１、２、３、４、５および６のいずれかに記載の表示目盛変動型線形時計。
【発明の詳細な説明】
【０００１】
【発明の属する技術分野】
この発明は、時間の経過を表す文字、記号など時刻目盛を線形に配列した線形時間表示画面上の特定位置に現時刻情報を指示する時計に係り、さらに現時刻情報の更新に伴い表示される時刻目盛もまた更新される表示目盛変動型線形時計に関する。
【０００２】
【発明が解決しようとする課題】
一般に時計の表示方式としては、アナログ方式、デジタル方式の２つの方式が知られている。アナログ表示方式の時計は、円形の固定された文字盤に短針および長針の針が回動して時刻を表示するために時が回帰する印象を与え、またデジタル表示方式の時計は、現在の時刻情報のみを数値により表示するものである。このため、従来のいずれの方式においても、現在の時刻を直接表示することを意図するもので、現在の時刻を時の経過の中の一過性として表示するには不十分であった。このため、現時刻情報を時の経過の中で把握または目視するには時、分の情報は時計（特にアナログ表示方式）を、日、月の情報はカレンダーを使用する、異なる表示方式に頼る不便があった。そこで、現在の時刻情報（年、月、日、時、分、秒）を過去から未来に移行する時の経過の中で線形に把握できる新規な時計が要望されていた。
【０００３】
本発明は、現在の時刻情報を時の経過の過程を線形に把握（目視）できる表示目盛変動型線形時計を提供することである。
【０００４】
【課題を解決するための手段】
本発明の表示目盛変動型線形時計は、時刻情報を与える計時手段と、計時手段からの時刻情報を受信して現在の時刻情報を記憶する時刻情報記憶手段と、時間の経過を表す文字、記号など時刻目盛を線形に配列した線形時間表示画面上の特定位置に現時刻情報を指示する表示手段と、前記時刻情報を受信する毎に前記現在の時刻情報に従って前記線形時間表示画面上の現時刻情報を示す特定位置の時刻目盛を変更する手段と、前記時刻情報を受信する毎に前記線形時間表示画面上の時刻目盛を更新する時刻目盛更新手段とを備えている。このため、時刻目盛が逐次更新される前記線形時間表示画面上の特定位置に現在の時刻情報が表示される。
【０００５】
また、本発明の表示目盛変動型線形時計は、時刻情報を与える計時手段と、計時手段からの時刻情報を受信して現在の時刻情報を記憶する時刻情報記憶手段と、時間の経過を表す文字、記号など時刻目盛を線形に配列した線形時間表示画面上の特定位置に現時刻情報を指示する表示手段と、前記表示手段の線形時間表示画面に配列された時刻目盛の変更を指示する目盛変更指示手段と、目盛変更指示手段により指示された指示情報に従って前記時刻目盛を計算する演算手段と、前記演算手段により算出された時刻目盛に従って前記前記線形時間表示画面上の時刻目盛を変更する目盛変更手段とを備えている。このため、前記線形時間表示画面上の時刻目盛が目盛変更指示手段の指示に従って変更される。
【０００６】
また、本発明の表示目盛変動型線形時計は、時刻情報を与える計時手段と、計時手段からの時刻情報を受信して現在の時刻情報を記憶する時刻情報記憶手段と、時間の経過を表す文字、記号など時刻目盛を線形に配列した線形時間表示画面上の特定位置に現時刻情報を指示する表示手段と、前記時刻情報を受信する毎に前記線形時間表示画面上の時刻目盛を更新する時刻目盛更新手段と、前記表示手段の線形時間表示画面に配列された時刻目盛の変更を指示する目盛変更指示手段と、目盛変更指示手段により指示された指示情報に従って前記時刻目盛を計算する演算手段と、前記演算手段により算出された時刻目盛に従って前記前記線形時間表示画面上の時刻目盛を変更する目盛変更手段とを備えている。このため、前記線形時間表示画面上の時刻目盛が目盛変更指示手段の指示に従って変更されると共に時刻目盛が逐次更新される前記線形時間表示画面上の特定位置に現在の時刻情報が表示される。
【０００７】
また、本発明の表示目盛変動型線形時計は、時刻情報を与える計時手段と、計時手段からの時刻情報を受信して現在の時刻情報を記憶する時刻情報記憶手段と、時間の経過を表す文字、記号など時刻目盛を線形に配列した線形時間表示画面上の特定位置に現時刻情報を表示する表示手段と、前記表示手段の線形時間表示画面上の現時刻情報を表示する前記特定位置に過去または未来の時刻情報表示に変更する時刻変更手段と、時刻変更手段により指示された時刻情報に従って前記時刻目盛の時刻情報を計算する演算手段と、前記演算手段により算出された時刻情報に従って前記線形時間表示画面上の時刻目盛の時刻情報を変更する目盛変更手段と、とを備えてなる。このため、線形時間表示画面上の現時刻情報を表示する特定位置に過去または未来の時刻が表示されると共に時刻目盛もまた更新される。
【０００８】
【発明の実施の形態】
図１は、本発明の表示目盛変動型線形時計のシステム構成図を示し、同図において符号１は計時回路である。計時回路１は水晶発振器、分周回路を含む公知の構成を有し、秒、分、時、日、月および年の情報が計時されて秒毎に時刻信号をＣＰＵ２内のプログラム選択回路３および現時刻情報メモリ４に出力する。プログラム選択回路３は時刻信号を受信する毎にＲＡＭ５に時刻目盛更新プログラムを読出すほか、制御回路６からの指示信号により指定されたプログラムをＲＡＭ５から読出す。現時刻情報メモリ４には秒、分、時、日、月及び年の現在の時刻情報を記憶する領域が備えられており、計時回路１からの時刻信号を受信する都度、それぞれの該当する時刻情報が更新される。現時刻情報は制御回路６に与えられる。ＲＡＭ５には前記時刻更新プログラムの他、時刻目盛変更プログラム、表示位置移動プログラムなどが記憶されている。制御回路６は演算回路７、入力部８および表示装置９と接続されてデータの授受を行う。演算回路７は、制御回路６からの指示情報に従って表示装置９の線形時間表示画面上に配列された時刻目盛の計算を行い、その計算結果を制御回路６に知らせる。入力部８は、前記線形時間表示画面上に配列された時刻目盛の変更をマウスのドラッグ操作により指示する他、キーボードが設けられ所要のスケジュール情報が入力でき、入力された情報は制御回路６に与えられる。表示装置９は、制御回路６から与えられる時刻目盛情報、現時刻情報、スクロールバー情報などの表示情報に従って指定された画面上に所要の情報を表示する。
【０００９】
図２は、前記表示装置９の一表示状態を示すもので、時間の経過を表す文字、記号など時刻目盛１０を線形に配列した線形時間表示画面１１と、その線形時間表示画面１１の時刻目盛を変更するためのスクロールバー１２と、現在の年、月、日、時、分、秒を曜日と共に表示する現時刻表示部１３とからなっている。図２の場合は、現時刻表示部１３には現在の時刻情報である１９９５年１０月１４日０時３８分５９秒土曜日（１９９５／１０／１４  ００：３８：５９（土））が表示されている。また、線形時間表示画面１１には３８分５４秒〜３９分４秒を示す時刻目盛１０が５４〜５９、０：３９、１〜４として時の経過を秒単位として示されている。この場合、現時刻表示部１３の秒を示す５９と、線形時間表示画面１１の分を示す０：３９は色彩を変えて表示している。線形時間表示画面１１の特定位置、この場合は中央位置に現在の時刻である５９秒が表示され、該中央位置の５９を示す時刻目盛には現時刻であることを表示する指標１４が赤の線により示される。
【００１０】
図３は、本発明の主処理ルーチンの概要を示したフローチャートである。ステップＳ１において、図１に示すプログラム選択回路３は計時回路１からの時刻信号と制御回路６からの入力部８のマウスの移動を示す信号を受信し（イベントの取得）、ＲＡＭ５に記憶された各種のプログラムの選択を行う。即ち、入力部８のマウスの操作によりスクロールバー１２のスクロールボックス１２ａが移動した場合は、プログラム選択回路３はＲＡＭ５に記憶された時刻目盛変更プログラムを指定し、ステップＳ２に移り時刻目盛変更プログラムの処理を行う。また、プログラム選択回路３は時刻信号を受信する都度、ＲＡＭ５に記憶された時刻更新プログラムを指定し、ステップＳ３に移り時刻更新プログラムの処理を行う。また、入力部８のマウスのドラッグ操作がされた場合は、プログラム選択回路３はＲＡＭ５に記憶された表示位置移動プログラムを指定し、ステップＳ４に移り表示位置移動プログラムの処理を行う。また、プログラム選択回路３は制御回路６からの指示に応じてＲＡＭ５の所要のプログラムを指定し、ステップＳ５において該プログラムの処理を行う。
【００１１】
図４は、図３のステップＳ２における時刻目盛変更プログラムの処理を説明したフローチャートを示している。ステップＳ２０１において、入力部８のマウスの操作によりスクロールバー１２のスクロールボックス１２ａを例えば図５に示す様に移動すると、該スクロールバー１２のスクロールボックス１２ａの位置が制御回路６により識別される。次に、ステップＳ２０２に移り、取得したスクロールボックス１２ａの位置の値からピクセルタイム（ＰｉｘｅｌＴｉｍｅ）を算出する。具体的には、スクロールバー１２はスクロールボックス１２ａが左端１２ｂに位置している場合を０とし、右端１２ｃに位置している場合を１として正規化し、該正規化した０〜１の間の所定のピクセル数とその間のスクロールボックス１２ａの位置を対応付けている。即ち、スクロールボックス１２ａの位置の変化に従って１ピクセルが表す秒数の値（以下、ピクセルタイムと称する）を変化させ、表示される秒〜年のいずれの時刻表示を行うかを決定する。スクロールボックス１２ａの位置を単に一次変換すると年の時刻表示を行うスクロールボックス１２ａの位置が多くなるので、ピクセルタイムはスクロールボックスの位置をＸとして、
【数１】
ＰｉｘｅｌＴｉｍｅ＝（最大ＰｉｘｅｌＴｉｍｅ）Ｘ
として計算している。ここで、最大ＰｉｘｅｌＴｉｍｅとはスクロールボックス１２ａを右端１２ｃに位置したときのピクセルタイムの値である。この値を調節することにより時刻目盛の上限を調節することができる。次に、ステップ２０３に移り、計算されたピクセルタイムで時刻目盛りを変更して線形時間表示画面１１に現時刻を表示する、時刻情報線形表示処理を行う。
【００１２】
図５および図６は、図４の時刻目盛変更プログラムにより変更された時刻目盛を示し、スクロールボックス１２ａの位置と対応し、図５の場合は図２と比較して時刻目盛１０の秒表示が圧縮されている。また、図６の場合は時刻目盛１０が時単位の表示に変更されている。なお、図５および図６の場合のいずれも線形時間表示画面１１の中央位置に現時刻が指標１４により赤線で表示されることには変更はない。
【００１３】
図７は、図４のステップＳ２０３の時刻情報線形表示処理の内容をさらに説明するフローチャートである。ステップＳ１１において、制御回路６は算出されたピクセルタイムの値に基づいて表示する時刻目盛を秒、分、時、日、月または年の表示のいずれかを決定する。決定された時刻目盛１０に従ってステップＳ１２〜Ｓ１７の何れかの表示処理を行い、線形時間表示画面１１に秒、分、時、日、月または年の時刻目盛１０を表示する。なお、ステップＳ１５の日表示処理が実行される場合は、日曜日を赤、土曜日を青のように特有の表示が行われる。また、同一表示処理のステップであっても、ピクセルタイムの値が大きくなって表示密度が高くなり、１目盛づつ数値が表示できなくなる場合には、時表示では６目盛おきに、日表示では７目盛おきに、秒、分、年表示では１０目盛おきに数値を省略する。この判断は、目盛と目盛の間隔に表示する数値の幅が収まるか否かにより決定される。ピクセルタイムから表示される時刻目盛１０の間隔は、
【数２】
目盛の間隔＝目盛の間隔の秒数÷ＰｉｘｅｌＴｉｍｅ
によってドット数として求められる。
【００１４】
図８は、図７の各ステップＳ１２〜Ｓ１７において実行される時刻目盛表示処理の基本的なフローチャートを示し、ステップＳ２０において線形時間表示画面１１の中央位置に目盛指標ｘを位置する初期化処理を行う。次にステップＳ２１に移り、目盛指標ｘを線形時間表示画面１１の中央位置から右端（右端は該座標位置として識別される）に向かって所定間隔で移動し、該目盛指標ｘが目盛表示領域の右端を越えていない場合にはステップＳ２２に進む。ステップＳ２２において、線形時間表示画面１１上の目盛指標ｘの位置に目盛を表示する。次にステップＳ２３に移り、表示条件に従って目盛指標ｘの位置に時間の数値を表示する。即ち、目盛の時刻の数値は、
【数３】
目盛の時刻＝中央位置の時刻＋（ｘの座標−中央位置の座標）×ＰｉｘｅｌＴｉｍｅ
により求められる。次にステップＳ２４に移り、目盛指標ｘの座標に目盛間隔を加え、ステップＳ２１に戻る。ステップＳ２１において目盛指標ｘが線形時間表示画面１１の右端を越えていると判断された場合には、線形時間表示画面１１の中央位置より右側の時刻目盛表示処理を終了し、ステップＳ２５に移る。
【００１５】
ステップＳ２５において、線形時間表示画面１１の中央位置に目盛指標ｘを位置する初期化処理を行う。ステップＳ２６において、目盛指標ｘが線形時間表示画面１１の左端を越えているか否かが判断され、越えていない場合にはステップＳ２７に移る。ステップＳ２７において、線形時間表示画面１１上の目盛指標ｘの位置に時刻目盛を表示する。次にステップＳ２８に移り、表示条件に従って目盛指標ｘの位置に時間の数値を表示する。次にステップＳ２９に移り、目盛指標ｘの座標から目盛間隔を減じてステップＳ２４に戻る。ステップＳ２６において目盛指標ｘが線形時間表示画面１１の左端を越えていると判断された場合には、線形時間表示画面１１の中央位置より左側の時刻目盛表示処理を終了し、この結果すべての時刻目盛表示処理を終了する。上述のように、図４のステップＳ２０３の時刻情報線形表示処理は図７及び図８により説明された処理が行われている。
【００１６】
図９は、図３のステップＳ３における時刻更新プログラムの処理を説明したフローチャートを示し、時刻信号が受信される都度実行される。ステップＳ３０１において、制御回路６は現時刻情報メモリ４から現在の時刻情報を受け取る。次に、ステップＳ３０２に移り、制御回路６は受信した現時刻情報に従って、現時刻表示部１３の現時刻表示を更新すると共に、線形時間表示画面１１の中央位置に表示されている現時刻を更新する。次に、ステップＳ３０３に移り、更新された中央位置の現時刻に基づいて図７および図８の時刻情報線形表示処理を行い線形時間表示画面１１の全ての時刻目盛１０の時刻を中央位置の現時刻に合わせて更新する。
【００１７】
上述した処理は、線形時間表示画面１１の中央位置に現時刻を表示することを前提に行われたが、線形時間表示画面１１の中央位置に過去または未来に時刻表示させたい場合には、入力部８のマウスをドラッグ操作（マウスの左ボタンを押した状態で移動）することにより読出される表示位置移動プログラムに従って行われる。図１０は、図３のステップＳ４における表示位置移動プログラムの処理を説明したフローチャートを示し、ステップＳ４０１において制御回路６はマウスのドラッグ操作による移動量（ピクセル）を受信する。次に、ステップＳ４０２において線形時間表示画面１１の中央位置に表示された時刻（ＣｅｎｔｅｒＴｉｍｅと称する）を、
【数４】
ＣｅｎｔｅｒＴｉｍｅ＝ＣｅｎｔｅｒＴｉｍｅ＋マウスのドラッグ操作量×ＰｉｘｅｌＴｉｍｅ
上式に従って計算して変更する。次にステップ４０３に移り、変更された中央位置の時刻に基づいて図７および図８の時刻情報線形表示処理を行い線形時間表示画面１１の全ての時刻目盛１０の時刻を中央位置の変更された時刻に合わせて更新する。この結果、マウスのドラッグ操作量の相当するドット数だけ現時刻を示す目盛の位置が中央位置から移動することになり、これと共に現時刻を示す指標１４もまた移動する。なお、マウスのドラッグ操作量が大きいため現時刻の表示が線形時間表示画面１１上に表示され得ない場合は指標１４は現時刻を表示していない中央位置に留まる。
【００１８】
上述の各プログラムの処理動作から理解されるように、線形時間表示画面１１の全ての時刻目盛１０の変更および更新は中央位置の時刻を基準として行われている。上述した時刻目盛変更プログラム、時刻更新プログラム、表示位置移動プログラムを組み合わせることにより線形時間表示画面１１に所望の時刻を所望する時刻目盛１０により時刻表示することができる。
【００１９】
表示位置移動プログラムに従って線形時間表示画面１１の中央位置の時刻表示を変更した後、該中央位置に現時刻を再び表示すると共に該現時刻に従って時刻目盛１０を変更する場合は、その操作が煩雑になるため、入力部８のマウスの右ボタンを押すことにより現時刻が中央位置に表示されることになる。図１１は入力部８のマウスの右ボタンの操作より開始する復帰プログラムを示し、ステップＳ３１において制御回路６は現時刻情報メモリ４から現時刻情報を読出し、ＣｅｎｔｅｒＴｉｍｅ＝現時刻に設定する。次に、ステップＳ３２に移り、変更された中央位置の現時刻に基づいて線形時間表示画面１１の全ての時刻目盛１０の時刻を中央位置の現時刻に合わせて更新する。
【００２０】
図１２は、上述の表示目盛変動型線形時計の線形時間表示画面１１にメッセージの存在を示す指標１５を時間の経過過程において表示させた一例を示している。入力部８のキーボード及びマウスを操作して所望の時間を入力すると共に指標設定を指示するキーを操作することにより線形時間表示画面１１の所定の時刻目盛１０に指標１４が表示される。さらに、キーボードによりメッセージの内容を入力でき、表示切換え操作を行うことにより表示装置９にメッセージの内容を表示できる。
【００２１】
【発明の効果】
この発明の表示目盛変動型線形時計は、線形時間表示画面上の特定位置に現時刻情報を表示し、過去から未来に至る時間の流れの中で現時刻を視認できるから時間を認識するために便利である。さらに、線形時間表示画面の特定位置の現時刻が刻々と更新されると共に全時刻目盛もまた刻々と更新されるので、使用者は刻々と更新される時刻目盛の時間の経過の中で特定位置の現時刻を把握することができる。
【００２２】
また、この発明の表示目盛変動型線形時計は、目盛変更指示手段により変更された指示情報に従って計算された時刻目盛を線形時間表示画面上に表示する構成であるから、線形時間表示画面上の時刻目盛を自由に変更でき、使用者の要望に応じて秒、分、時、日、月、年単位の時刻目盛を選択して現時刻と共に表示できる。従って、１つの線形時間表示画面で時計、カレンダーの機能をも備えることができ、使用者が必要とする時刻目盛を自在に拡大または圧縮することができる。
【００２３】
また、この発明の表示目盛変動型線形時計は、線形時間表示画面上の現時刻情報を表示する前記特定位置に過去または未来の時刻情報表示に変更し、指示された時刻情報に従って時刻目盛の時刻情報を計算し、算出された時刻情報に従って線形時間表示画面上の時刻目盛の時刻情報を変更する構成であるから、現時刻情報を表示する線形時間表示画面上の位置を自由に変更することができる。従って、使用者の必要に応じて過去または未来の時間に焦点を合わせることができ、スケジュールの管理に便利である。さらに、ワンタッチで元の特定位置における現時刻表示へと復帰することができる利点がある。
【００２４】
本発明の表示目盛変動型線形時計は、前述の発明の実施の形態において説明されたが、さらに上記実施の形態を具体化して実際に使用されているプログラムの例を次の表に記録する。
【００２５】
【表１】
0003569057.tif 000002
0003569057.tif 000003
0003569057.tif 000004
0003569057.tif 000005
0003569057.tif 000006
0003569057.tif 000007
0003569057.tif 000008
0003569057.tif 000009
0003569057.tif 000010
0003569057.tif 000011
0003569057.tif 000012
0003569057.tif 000013
0003569057.tif 000014
0003569057.tif 000015
0003569057.tif 000016
0003569057.tif 000017
0003569057.tif 000018
0003569057.tif 000019
0003569057.tif 000020
0003569057.tif 000021
0003569057.tif 000022
0003569057.tif 000023
【図面の簡単な説明】
【図１】本発明の表示目盛変動型線形時計のシステム構成図。
【図２】図１の表示装置の一表示状態を示す図。
【図３】本発明の表示目盛変動型線形時計の主プログラムのフローチャート。
【図４】時刻目盛変更プログラムの処理を説明するフローチャート。
【図５】図４の時刻目盛変更プログラムにより変更された時刻目盛の表示状態例を示す図。
【図６】図４の時刻目盛変更プログラムにより変更された時刻目盛の他の表示状態例を示す図。
【図７】図４のステップＳ２０３の時刻情報線形表示処理の内容をさらに説明するフローチャート。
【図８】図７の各ステップＳ１２〜Ｓ１７において実行される時刻目盛表示処理の基本的なフローチャート。
【図９】時刻更新プログラムの処理を説明したフローチャート。
【図１０】表示位置移動プログラムの処理を説明したフローチャート。
【図１１】入力部のマウスの右ボタンの操作より開始する復帰プログラムの処理を説明するフローチャート。
【図１２】表示目盛変動型線形時計の線形時間表示画面にメッセージの存在を示す指標を表示させた一例を示す図。
【符号の説明】
１            計時回路
３            プログラム選択回路
４            現時刻情報メモリ
５            ＲＡＭ
６            制御回路
７            演算回路
８            入力部
９            表示装置
１０            時刻目盛
１１            線形時間表示画面
１２            スクロールバー
１４            指標
【図１】
0003569057.tif 000024
【図２】
0003569057.tif 000025
【図３】
0003569057.tif 000026
【図４】
0003569057.tif 000027
【図５】
0003569057.tif 000028
【図６】
0003569057.tif 000029
【図７】
0003569057.tif 000030
【図８】
0003569057.tif 000031
【図９】
0003569057.tif 000032
【図１０】
0003569057.tif 000033
【図１１】
0003569057.tif 000034
【図１２】
0003569057.tif 000035